(57)【要約】 【課題】  外部に露出する通電端子部に電圧計などの測定用端子を信頼性高く電気的に接続して、安全かつ確実に電圧測定などを行うことを可能にする測定用アダプタを提供すること。【解決手段】  電圧計の鰐口クリップを接続する測定用アダプタ１０であって、電力量計の接続端子台の絶縁カバーに替えて取り付ける基台カバー１１と、この基台カバーの裏面から突出して接続端子台の入力端子に接触接続する接続接点１２と、この接続接点に導通してハウジング１４の接続空間１４ａ内に支持される接続端子１３と、を備えており、接続端子は、鰐口クリップの噛み合わせ部の開口方向と直交する姿勢で並列するように支持されている。【選択図】      図１
2006300877.tif 000002
【特許請求の範囲】
【請求項１】
測定対象の外部に露出可能な通電端子部に測定用端子を電気的に接続する測定用アダプタであって、
測定対象の通電端子部を覆うように該測定対象に取り付けるカバー部材と、該カバー部材の測定対象側に露出して該測定対象の通電端子部に電気的に接続する対象側接続部と、該対象側接続部に導通しているとともにカバー部材の外部側で測定用端子を電気的に接続可能に露出する測定側接続部と、を備えており、
該測定側接続部は、測定用端子の姿勢を規制する形状に形成されていることを特徴とする測定用アダプタ。
【請求項２】
前記測定側接続部は、鰐口クリップの測定用端子を接続可能に一方向に突出する板形状に形成されているとともに、該鰐口クリップの開口方向が当該測定側接続部の並列方向と直交するように設計されていることを特徴とする請求項１に記載の測定用アダプタ。
【請求項３】
前記測定側接続部は、鰐口クリップの測定用端子の噛み合わせ部が噛み合わせ可能な形状に形成されていることを特徴とする請求項２に記載の測定用アダプタ。
【請求項４】
前記カバー部材は、測定用端子が接続された状態の測定側接続部を覆う蓋部材が取り付けられて、
該蓋部材には、測定用端子を測定側接続部との間で挟持するように該測定側接続部側に押し付ける押圧手段が設けられていることを特徴とする請求項１から３のいずれかに記載の測定用アダプタ。
【請求項５】
前記カバー部材は、測定側接続部に測定用端子が接続された状態で、測定対象の通電端子部に対象側接続部を電気的に接続するとともに該通電端子部を覆うように該測定対象に取り付け可能に設計されていることを特徴とする請求項１から４のいずれかに記載の測定用アダプタ。
【発明の詳細な説明】
【技術分野】
【０００１】
本発明は、測定用アダプタに関し、詳しくは、外部に露出する通電端子部に測定用端子を安全に接続して電圧等の測定を行うことのできるものに関する。
【背景技術】
【０００２】
従来より、電源線を機器装置（負荷装置）に接続する場合には、複数の接続用端子をその電源線毎に準備して接続するのが、一般的である。例えば、商用電源側からの供給電力量に応じて課金などするために、図３に示すように、その電源線のそれぞれを端子接続する電力量計１００を、その商用電源からの電力供給を受けて稼動する負荷装置が設置された各戸（各家庭）毎などに設けることが行われている。
【０００３】
電力量計１００は、消費された供給電力を積算（計測）する本体部１０１と、商用電源と各戸の負荷装置との間の電線の途中に本体部１０１が介在するようにその電線を接続する接続端子台（通電端子部）１０２と、が配置されている。この電力量計１００は、不用意に触れてしまわないように接続端子台１０２を絶縁カバー１０３が覆っており、この絶縁カバー１０３を外すことにより、図４に示すように、商用電源からの入力電線（電源線）を本体部１０１に接続する入力端子１１１〜１１３と、負荷装置側のブレーカーへの出力電線を本体部１０１に接続する出力端子１１５〜１１７と、を露出させることができる。
【０００４】
このような電力量計１００は、図５に示すように、電線１２０の先端側の被覆１２０ｃを剥いだ導電線１２０ｍを接続端子台１０２の端子１１１〜１１３、１１５〜１１７に締付ネジ１１９により接続する。なお、図５は、図４に示す接続端子台１０２をデフォルメして簡易に図示するものである。
【０００５】
また、このような電力量計１００としては、接続端子台１０２の端子１１１〜１１３、１１５〜１１７にコネクタを着脱可能にして、このコネクタに入力電線１２１〜１２３や出力電線１２５〜１２７を接続することにより、電線１２０同士の短絡事故を起こすことなく、その電力量計１００の交換作業などを安全に行い得るようにすることが提案されている（例えば、特許文献１参照）。
【０００６】
ところで、このような電力量計１００では、商用電源から適正な電圧で電力供給がなされているか否かなどを確認するために、接続端子台１０２から絶縁カバー１０３を外して露出させた入力端子１１１〜１１３に電圧計を接続して電圧測定を行う場合がある。この接続端子台１０２で露出する入力端子１１１〜１１３では、図６（ａ）に示すように、入力電線１２１〜１２３をネジ止めして電気的に接続固定する締付ネジ１１９のヘッド１１９ａに、電圧計からの鰐口クリップ２００を接続して電圧測定などの作業が行われている。
【０００７】
しかしながら、文献１に記載のコネクタは、端子１１１〜１１３、１１５〜１１７と電線１２１〜１２３、１２５〜１２７の接続作業を容易にするだけであって、その入力端子１１１〜１１３の締付ネジ１１９のヘッド１１９ａが端子表面から小さく突出する突起形状に過ぎないので、鰐口クリップ２００が直ぐに外れてしまうという問題を解消することはできない。
【０００８】
また、この入力端子１１１〜１１３は、鰐口クリップ２００をその並列方向に開口させて接続することもできることから、図６（ｂ）に示すように、隣接している２箇所に鰐口クリップ２００が同時に接触してしまう可能性がある。このため、この電圧測定では、短絡事故を起こさないように細心の注意を払って作業しなければならず、作業上の安全性が低いという課題があった。
【０００９】
ここで、端子ユニットにアダプタを装着して、鰐口クリップ２００を接続し易くする技術も提案されている（例えば、特許文献２参照）。このため、この文献２に記載のアダプタを電力量計１００における電圧測定に利用することが考えられるが、このアダプタは、鰐口クリップ２００をピン形状の接続部に接続するように設計されているため、直ぐに外れてしまうという問題は解消可能であるが、その鰐口クリップ２００を２箇所の接続ピンに接触させて短絡事故を起こしてしまう恐れがあるという問題は解消することができない。
【特許文献１】特開２００３−２４８０２０号公報
【特許文献２】特開２０００−２７００７３号公報
【発明の開示】
【発明が解決しようとする課題】
【００１０】
そこで、本発明は、外部に露出する通電端子部に電圧計などの測定用端子を信頼性高く電気的に接続して、安全かつ確実に電圧測定などを行うことを可能にする測定用アダプタを提供することを目的とする。
【課題を解決するための手段】
【００１１】
上記課題を解決する測定用アダプタの第１の発明は、測定対象の外部に露出可能な通電端子部に測定用端子を電気的に接続する測定用アダプタであって、測定対象の通電端子部を覆うように該測定対象に取り付けるカバー部材と、該カバー部材の測定対象側に露出して該測定対象の通電端子部に電気的に接続する対象側接続部と、該対象側接続部に導通しているとともにカバー部材の外部側で測定用端子を電気的に接続可能に露出する測定側接続部と、を備えており、該測定側接続部は、測定用端子の姿勢を規制する形状に形成されていることを特徴とするものである。
【００１２】
この発明では、測定対象の通電端子部を覆うようにカバー部材を取り付けることにより、測定側接続部に導通する対象側接続部をその通電端子部に電気的に接続することができ、その測定側接続部には、電圧計などの測定用端子を接続することができる。このとき、測定用端子の姿勢、例えば、向きなどを規制して、正常に測定側接続部に接続させるように設計することができる。したがって、鰐口クリップなどの測定用端子を外れてしまうことなく適正に測定側接続部に接続する作業を実現することができ、対象側接続部に接続されている通電端子部の電圧などを確実に測定可能にすることができる。
【００１３】
上記課題を解決する測定用アダプタの第２の発明は、上記第１の発明の特定事項に加え、前記測定側接続部は、鰐口クリップの測定用端子を接続可能に一方向に突出する板形状に形成されているとともに、該鰐口クリップの開口方向が当該測定側接続部の並列方向と直交するように設計されていることを特徴とするものである。
【００１４】
この発明では、測定側接続部が板形状に突出してその平面方向に並列するのに対して、測定用端子の鰐口クリップの噛み合わせ部が直交方向に開口して噛み付かせるようにして接続することができる。したがって、鰐口クリップを開口させて接続させる際に、隣接する２箇所の測定側接続部に跨って接続させてしまうことがなく、短絡事故の発生を防止することができる。
【００１５】
上記課題を解決する測定用アダプタの第３の発明は、上記第２の発明の特定事項に加え、前記測定側接続部は、鰐口クリップの測定用端子の噛み合わせ部が噛み合わせ可能な形状に形成されていることを特徴とするものである。
【００１６】
この発明では、測定側接続部が測定用端子の鰐口クリップの噛み合わせ部と噛み合わせ可能な、例えば、縦断面形状の外形が鋸歯になる波板形状に形成される。したがって、鰐口クリップの噛み合わせ部を波板形状などに噛み合わせて引き抜き方向に移動することを制限することができ、接続状態を信頼性高く維持することができる。
【００１７】
上記課題を解決する測定用アダプタの第４の発明は、上記第３の発明の特定事項に加え、前記カバー部材は、測定用端子が接続された状態の測定側接続部を覆う蓋部材が取り付けられて、該蓋部材には、測定用端子を測定側接続部との間で挟持するように該測定側接続部側に押し付ける押圧手段が設けられていることを特徴とするものである。
【００１８】
この発明では、通電端子部を覆うように取り付けたカバー部材の測定側接続部も蓋部材を取り付けて覆うことができ、また、この蓋部材の押圧手段により測定用端子を測定側接続部に押し付けて、例えば、鰐口クリップの噛み合わせ部を波板形状の測定側接続部に押し付けて挟持することができる。したがって、通電端子部に導通する測定側接続部が露出して感電事故を起こしてしまうことを防止することができるとともに、その測定側接続部から測定用端子が不用意に外れて作業を中断させてしまうことを防止することができる。
【００１９】
上記課題を解決する測定用アダプタの第５の発明は、上記第１から第４のいずれかの発明の特定事項に加え、前記カバー部材は、測定側接続部に測定用端子が接続された状態で、測定対象の通電端子部に対象側接続部を電気的に接続するとともに該通電端子部を覆うように該測定対象に取り付け可能に設計されていることを特徴とするものである。
【００２０】
この発明では、前もって測定側接続部に測定用端子を接続したカバー部材で測定対象の通電端子部を覆うように取り付けることができ、その通電端子部に測定用端子を導通させることができる。したがって、例えば、電圧が印加されている測定側接続部を測定用端子の接続作業ミスで短絡させてしまうことをなくすことができ、安全に電圧測定などの作業を行うことができる。
【発明の効果】
【００２１】
このように本発明によれば、測定対象の通電端子部を覆うようにカバー部材を取り付けることにより、その通電端子部に対象側接続部を接続して測定側接続部を導通させることができるので、その測定側接続部には、電圧計などの測定用端子を接続する、あるいは、前もって接続しておき、測定対象の通電端子部の電圧測定などを行うことができる。したがって、鰐口クリップなどの測定用端子を測定対象の通電端子部に導通する測定側接続部に信頼性高く安全に接続することができ、または、前もって測定用端子を測定側接続部に接続しておき、その測定側接続部を測定対象の通電端子部に信頼性高く安全に導通接続させることができる。この結果、安全かつ確実に測定用端子を通電端子部に接続して電圧測定などを行うことができる。
【発明を実施するための最良の形態】
【００２２】
以下、本発明の最良の実施形態を図面に基づいて説明する。図１および図２は本発明に係る測定用アダプタの一実施形態を示す図である。
【００２３】
図１において、測定用アダプタ１０は、図３〜図５に示す電力量計（測定対象）１００に電線１２０が接続されて、商用電源から適正な電圧で電力供給されているか否かを確認する際に、その電力量計１００に取り付けて使用するものであり、絶縁カバー１０３を外して露出させた接続端子台（通電端子部）１０２に取り付けることができるように設計されている。なお、電力量計１００は、アナログ形式でも、また、コンパクトなデジタル形式のいずれでもよいことはいうまでもない。
【００２４】
ここで、電力量計１００は、接続端子台１０２の入力端子１１１〜１１３に接続する商用電源からの入力電線（電源線）１２１〜１２３と、出力端子１１５〜１１７に接続する各家庭のブレーカへの出力電線１２５〜１２７との間に本体部１０１が介在して、商用電源から各家庭の家電品（負荷装置）に供給して使用される使用電力を積算（計測）する。この電力量計１００は、本体部１０１の内部では、入力電線１２１と出力電線１２５、入力電線１２２と出力電線１２６、および、入力電線１２３と出力電線１２７が商用電源からの電力をそのまま供給するように導通回路で繋がれている。このことから、商用電源からの供給電力の電圧測定を行う場合には、入力端子１１１〜１１３に電圧計からの図６に図示する鰐口クリップ（測定用端子）２００を接続することにより行うのが一般的である。
【００２５】
そして、この電力量計１００は、接続端子台１０２の端子１１１〜１１３、１１５〜１１７毎の締付ネジ１１９を緩めて、電線１２０の先端側の被覆１２０ｃを剥いだ導電線１２０ｍをそれぞれ差し込んだ後に、その締付ネジ１１９を締め付けることにより、端子１１１〜１１３、１１５〜１１７と電線１２０とを電気的に接続して、入力電線１２１〜１２３と、出力電線１２５〜１２７との間を導通させる。この接続端子台１０２は、絶縁カバー１０３で覆うことにより外部に露出して感電・短絡事故が起こらないように設計されており、その絶縁カバー１０３は取付ネジ１０４をネジ穴１０５内に差し込んで緊締固定することにより取り付けることができる。
【００２６】
これに対して、測定用アダプタ１０は、基台カバー（カバー部材）１１と、接続接点（対象側接続部）１２と、接続端子（測定側接続部）１３と、ハウジング１４と、蓋部材１５と、を備えて構成されており、絶縁カバー１０３に替えて接続端子台１０２に取り付けて使用するように設計されている。
【００２７】
基台カバー１１は、絶縁カバー１０３と略同様に形成されており、その絶縁カバー１０３と略同一の幅と長さを有して、取付ネジ２４を接続端子台１０２のネジ穴１０５内に差し込んで緊締固定することにより、その接続端子台１０２内が外部に露出しないように覆って感電・短絡事故を防止する。この基台カバー１１は、取付ネジ２４の位置を電力量計１００の高さ方向にずらすことができるようにスライド穴２５内に回転自在に保持されており、各メーカの電力量計に取付可能に設計されている。
【００２８】
接続接点１２は、基台カバー１１の裏面側で突出するように設けられており、その基台カバー１１を接続端子台１０２に取り付けたときに入力端子１１１〜１１３またはその締付ネジ１１９の一方あるいは双方に圧接して電気的に接続するように設計されている。この接続接点１２の先端１２ａは、接続相手に複数箇所で接触させて確実に導通させることができるように、針状の突起が複数形成されている、所謂、剣山のような形状に形成されている。
【００２９】
接続端子１３は、この接続接点１２と導通しているとともに基台カバー１１の表面側で露出するようにブロック形状のハウジング１４に支持されており、この接続端子１３は、ハウジング内１４内に内蔵されている不図示の接続導体を介して接続接点１２との導通が確保されている。また、この接続端子１３は、表裏面１３ａの断面形状の外形が鋸歯形状になるように波板形状に形成されており、図２（ａ）に示すように、鰐口クリップ２００の噛み合わせ部２０１がその表裏面１３ａに噛み込んで平面方向に容易に引き抜かれてしまうことがないように形成されている。なお、この接続端子１３は、図２（ｂ）に示すように、クチバシのような噛み合わせ部２１１を備える鰐口クリップ２１０でも同様に、その表裏面１３ａに平面方向に容易に引き抜くことができないように噛み込ませることができることはいうまでもない。
【００３０】
ハウジング１４は、内部に画成されている接続空間１４ａ内に接続端子１３を位置させることにより外部からの鰐口クリップ２００を接続可能に露出させるようになっており、この接続空間１４ａは、接続端子台１０２の入力端子１１１〜１１３のそれぞれに対応する位置に並設されて、電力量計１００の表側と下側の２面が開放されている。このハウジング１４は、接続空間１４ａ内の板形状の接続端子１３が電力量計１００の上下方向と左右方向に平行な姿勢となるように埋め込まれて、言い換えると、その接続端子１３を接続空間１４ａ内で平行に並列させて下方に突出する姿勢で露出するように支持しており、鰐口クリップ２００を電力量計１００の下方から接続する構造にすることができる。また、このハウジング１４は、基台カバー１１のスライド穴２５の表面側を開放して取付ネジ２４のネジ穴１０５への緊締作業を妨げないように形成されている。なお、このハウジング１４は、接続接点１２や接続端子１３などを内装するように、基台カバー１１と共にプラスチックなどの絶縁材料により成形することにより作製すればよい。また、基台カバー１１やハウジング１４などを透明にして内部を視認可能にしてもよい。
【００３１】
これにより、測定用アダプタ１０は、基台カバー１１を接続端子台１０２に取り付けたとき、出力端子１１５〜１１７を外部から接触不能に覆うと共に、接続接点１２が入力端子１１１〜１１３のそれぞれに圧接接続して接続端子１３を電気的に導通させることができ、この接続端子１３に電圧計からの鰐口クリップ２００を容易に接続することができる。また、基台カバー１１やハウジング１４などを透明にした場合には、接続接点１２の先端１２ａと接続端子台１０２の入力端子１１１〜１１３の接触を確認しながら、測定用アダプタ１０を接続端子台１０２へ取り付けることができる。
【００３２】
このとき、鰐口クリップ２００は、接続端子１３の波板形状の表裏面１３ａに噛み合わせ部２０１を噛み込ませて簡単には引き抜かれないように接続状態を信頼性高く維持することができる。この鰐口クリップ２００は、ハウジング１４の接続空間１４ａ内で平面方向に平行に並列されている接続端子１３に対して、その噛み合わせ部２０１を直交する方向に拡開（開口）させて下方からのみ接続（噛み付かせる）させることができるので、その噛み合わせ部２０１の先端が隣接する接続端子１３に接触して短絡させてしまうことがない。
【００３３】
また、この測定用アダプタ１０は、前もって、接続端子１３に鰐口クリップ２００を接続した状態で、基台カバー１１を接続端子台１０２に取り付けることもでき、その接続端子１３に商用電源からの供給電力が印加されている状態で鰐口クリップ２００の接続作業を行うことを回避することができ、既に鰐口クリップ２００を接続させた状態で接続端子台１０２に取り付けることによりその鰐口クリップ２００を接続接点１２と接続端子１３を介して入力端子１１１〜１１３に導通接続することができる。
【００３４】
そして、蓋部材１５は、接続空間１４ａの奥側のハウジング１４の表面側の一側辺に配設されている不図示のヒンジにより回動自在に支持されており、その接続空間１４ａの表面側を開閉することができるとともに、接続空間１４ａを覆った状態で取付ネジ２６をハウジング１４のネジ穴２７内に差し込んで緊締固定することにより、その接続空間１４ａ内の接続端子１３が外部に露出しないように覆って感電・短絡事故を防止するように設計されている。
【００３５】
また、この蓋部材１５は、接続空間１４ａ内に進入して鰐口クリップ２００の噛み合わせ部２０１を接続端子１３側に押圧するバネ板（押圧手段）２８が裏面側に配置されており、接続空間１４ａを閉止した状態ではその鰐口クリップ２００の噛み合わせ部２０１を接続端子１３に押し付けて引き抜き不能に挟持することができる。
【００３６】
このように本実施形態においては、電力量計１００の絶縁カバー１０３に替えて基台カバー１１をその接続端子台１０２にネジ止めするだけで、各端子１１１〜１１３、１１５〜１１７を短絡・感電事故が起こらないように覆うことができ、電圧計の鰐口クリップ２００を、隣接する２箇所の接続端子１３に接触させて短絡させてしまう恐れなく、また、不用意に外れて作業を中断させてしまうことがないように引き抜き不能に、接続端子１３に接続して電圧測定をすることができる。この鰐口クリップ２００の接続端子１３への接続は、基台カバー１１を接続端子台１０２にネジ止めする前に行っておいてもよく、商用電源からの電圧に注意を払う必要のない作業を実現することができる。したがって、鰐口クリップ２００を接続端子１３に接続して信頼性高く入力端子１１１〜１１３に導通させることができ、安全かつ確実に商用電源からの供給電力の電圧測定などを行うことができる。
【００３７】
本実施形態の他の態様としては、本実施形態では、先端に複数の針状突起を形成した接続接点１２を備える構成を一例に説明するが、蓋部材１５の裏面に配設するバネ板により接続接点を構成させて、入力端子１１１〜１１３や締付ネジ１１９に圧接させて電気的な導通を確保するようにしても良いことはいうまでもない。
【産業上の利用可能性】
【００３８】
これまで本発明の一実施形態について説明したが、本発明は上述の実施形態に限定されず、その技術的思想の範囲内において種々異なる形態にて実施されてよいことは言うまでもない。
【図面の簡単な説明】
【００３９】
【図１】本発明に係る測定用アダプタの一実施形態を示す図であり、その概略全体構成を示す斜視図である。
【図２】その接続状態を示す図であり、（ａ）は鰐口クリップの一例を示す斜視図、（ｂ）は鰐口クリップの他の例を示す斜視図である。
【図３】その測定対象の電力量計を示す図であり、（ａ）はその正面図、（ｂ）はその右側面図である。
【図４】その電力量計の要部を示す分解正面図である。
【図５】その電力量計を説明する概念正面図である。
【図６】その従来技術の課題を説明する図であり、（ａ）はその接続状態を示す斜視図、（ｂ）はその接続姿勢を示す斜視図である。
【符号の説明】
【００４０】
１０……測定用アダプタ    １１……基台カバー    １２……接続接点    １３……接続端子    １３ａ……表裏面    １４……ハウジング    １４ａ……接続空間    １５……蓋部材    ２４、２６、１０４……取付ネジ    ２７、１０５……ネジ穴    １００……電力量計    １０１……本体部    １０２……接続端子台    １０３……絶縁カバー    １１１〜１１３……入力端子    １１５〜１１７……出力端子    １１９……締付ネジ    １１９ａ……ヘッド    １２０……電線    １２１〜１２３……入力電線    １２５〜１２７……出力電線    ２００、２１０……鰐口クリップ    ２０１、２１１……噛み合わせ部
【図１】
2006300877.tif 000003
【図２】
2006300877.tif 000004
【図３】
2006300877.tif 000005
【図４】
2006300877.tif 000006
【図５】
2006300877.tif 000007
【図６】
2006300877.tif 000008